(57)【要約】【課題】乗りかごが下降するときのみでなく、上昇するときにでも、その動作を利用して電力を得ることができ、またその電力を乗りかごの電装品の電源の一部として有効に利用することができるエレベータを提供する。【解決手段】メインロープ４を介して２：１ローピング方式で建屋の昇降路内に吊り下げられた乗りかご５に発電機２３および蓄電池３０を設け、前記発電機２３を乗りかご５の昇降に応じて回転するかごシーブ１０の回転動力で駆動して発電させ、その電力を前記蓄電池３０で蓄電し、さらにその蓄電した電力をかご室１５の天井照明装置３１の補助電源として使用する。【選択図】    図３
2005200138.tif 000002
【特許請求の範囲】
【請求項１】
メインロープを介して２：１ローピング方式で建屋の昇降路内に吊り下げられた乗りかごと、
前記乗りかごに設けられ、前記メインロープが巻き掛けられて乗りかごの昇降に応じて回転するかごシーブと、
前記かごシーブと連動して回転し、その回転力で発電をする発電機と、
を具備することを特徴とするエレベータ。
【請求項２】
メインロープを介して２：１ローピング方式で建屋の昇降路内に吊り下げられた乗りかごと、
前記乗りかごに設けられ、前記メインロープが巻き掛けられて乗りかごの昇降に応じて回転するかごシーブと、
前記かごシーブと連動して回転し、その回転力で発電をする発電機と、
前記発電機が発電した電力を蓄電する蓄電池と、
を具備することを特徴とするエレベータ。
【請求項３】
前記蓄電池に蓄電した電力は、前記乗りかごの電装品に対する補助電源として使用されることを特徴とする請求項２に記載のエレベータ。
【請求項４】
メインロープを介して１：１ローピング方式で建屋の昇降路内に吊り下げられた乗りかごおよび釣合い重りと、
前記乗りかごと釣合い重りとの間に、その下方に垂れ下がるように掛け渡されたコンペンロープと、
前記昇降路のピットに設けられ、前記コンペンロープが巻き掛けられて乗りかごの昇降に応じて回転するコンペンシーブと、
前記コンペンシーブと連動して回転し、その回転力で発電をする発電機と、
を具備することを特徴とするエレベータ。
【発明の詳細な説明】
【技術分野】
【０００１】
この発明は、建屋の昇降路内にメインロープを介して乗りかごを吊り下げ、その乗りかごを巻上機による駆動で昇降させるエレベータに関する。
【背景技術】
【０００２】
この種のエレベータにおいては、昇降路の上方部に機械室が設けられ、この機械室にエレベータの駆動装置としての巻上機が設置され、乗りかごの上昇時にはその巻上機でメインロープを介して乗りかごを駆動する。
【０００３】
ところで、乗りかごが下降するときには、その駆動が不要であり、そこで従来、乗りかごの下降時に乗りかごの下降に応じて回転する巻上機のモータを発電機として利用して発電し、その電力を建屋に返送してその建屋の電装品の電源として用いるシステムが提案されている。
【発明の開示】
【発明が解決しようとする課題】
【０００４】
しかしながら、上述の従来の方式では、乗りかごが下降するときにしか電力を得ることができない。
【０００５】
ところで、乗りかごには、かご室内の天井に設置される照明装置等の各種の電装品が組み込まれている。乗りかごには機械室から導出されたテールコードが接続され、このテールコードを介して乗りかごの電装品に電力が供給される。
【０００６】
従来、乗りかごの下降時に巻上機を利用して発電した電力は専ら機械室から建屋の電装品に供給されるだけで、乗りかごの電装品に対する電源として利用するようなことは行われていない。
【０００７】
この発明はこのような点に着目してなされたもので、その目的の一つは、乗りかごが下降するときのみでなく、上昇するときにでも、その動作を利用して電力を得ることができるエレベータを提供することにある。
【０００８】
また目的の他の一つは、乗りかごが上下に移動するときにその動作を利用して電力を得ることができるとともに、その電力を乗りかごの電装品の電源の一部として有効に利用することができるエレベータを提供することにある。
【課題を解決するための手段】
【０００９】
請求項１の発明は、メインロープを介して２：１ローピング方式で建屋の昇降路内に吊り下げられた乗りかごと、前記乗りかごに設けられ、前記メインロープが巻き掛けられて乗りかごの昇降に応じて回転するかごシーブと、前記かごシーブと連動して回転し、その回転力で発電をする発電機とを具備することを特徴としている。
【００１０】
請求項２の発明は、メインロープを介して２：１ローピング方式で建屋の昇降路内に吊り下げられた乗りかごと、前記乗りかごに設けられ、前記メインロープが巻き掛けられて乗りかごの昇降に応じて回転するかごシーブと、前記かごシーブと連動して回転し、その回転力で発電をする発電機と、前記発電機が発電した電力を蓄電する蓄電池とを具備することを特徴としている。
【００１１】
請求項３の発明は、前記蓄電池に蓄電した電力が、前記乗りかごの電装品に対する補助電源として使用されることを特徴としている。
【００１２】
請求項４の発明は、メインロープを介して１：１ローピング方式で建屋の昇降路内に吊り下げられた乗りかごおよび釣合い重りと、前記乗りかごと釣合い重りとの間に、その下方に垂れ下がるように掛け渡されたコンペンロープと、前記昇降路のピットに設けられ、前記コンペンロープが巻き掛けられて乗りかごの昇降に応じて回転するコンペンシーブと、
前記コンペンシーブと連動して回転し、その回転力で発電をする発電機とを具備することを特徴としている。
【発明の効果】
【００１３】
この発明によれば、乗りかごが下降するときのみでなく、上昇するときにでも、その動作を利用して電力を得ることができる。
【００１４】
また、乗りかごが上下に移動するときにその動作を利用して電力を得ることができるとともに、その電力を乗りかごの電装品の電源の一部として有効に利用することができる。
【発明を実施するための最良の形態】
【００１５】
以下、この発明の実施形態について図面を参照して説明する。
【００１６】
エレベータの乗りかごをメインロープで昇降路内に吊り下げる一例として、２：１ローピング方式があり、この方式の場合の吊り構造を図１に示してある。図１に示すように、昇降路１の上方部には機械室２が設けられ、この機械室２に巻上機３が設置され、この巻上機３のシーブ３ａにメインロープ４が巻き掛けられ、このメインロープ４を介して昇降路１内に乗りかご５および釣合い重り６が吊り下げられている。
【００１７】
乗りかご５はかごシーブ１０を、釣合い重り６は重りシーブ１１をそれぞれ有し、巻上機３のシーブ３ａからその一方側に導出されたメインロープ４の途中が乗りかご５のかごシーブ１０の下側に巻き掛けられ、その導出側の端部が機械室２の床部等に係止され、また巻上機３のシーブ３ａからその他方側に導出されたメインロープ４の途中が釣合い重り６の重りシーブ１１の下側に巻き掛けられ、その導出側の端部が機械室２の床部等に係止され、このような吊り構造により乗りかご５および釣合い重り６が昇降路１内に吊り下げられている。そして乗りかご５の上昇時には巻上機３による駆動で乗りかご５が上方に引き上げられる。
【００１８】
機械室２には、エレベータの運転を制御する制御盤１２が設置され、また乗りかご５の下部からは送電用のテールコード１３が導出され、このテールコード１３が前記制御盤１２に接続されている。
【００１９】
乗りかご５は、図２に示すように、かご枠１４と、このかご枠１４内に設置されたかご室１５とを備えている。かご枠１４は、一対の立梁１６と、これら立梁１６の下部間に架設された下梁１７および上部間に架設された上梁１８とで構成されている。
【００２０】
上梁１８は互に離間して対向する一対の梁材からなり、その各梁材の中間部の下面にそれぞれ互に対向して一対の支持部材２０が取り付けられ、これら支持部材２０に回転軸２１を介して前記かごシーブ１０が回転自在に取り付けられ、乗りかご５の上下の昇降移動に応じてかごシーブ１０と一体に回転軸２１が回転するようになっている。
【００２１】
上梁１８には発電機２３が取り付けられ、また前記回転軸２１にはプーリ２４が取り付けられている。発電機２３は、内蔵された回転子と一体に回転するプーリ２５を有し、このプーリ２５と前記プーリ２４との間に動力伝達用のベルト２６が掛け渡されている。発電機２３は、かご枠１４の上に設けられたかご上ダクト２７を通して前記テールコード１３に電気的に接続されている。
【００２２】
次に、作用について説明する。
【００２３】
エレベータの運転に応じて乗りかご５が上昇および下降する際には、かごシーブ１０が回転し、この回転の動力がベルト２６を介して発電機２３に伝達され、その回転子が回転して電力を発生する。
【００２４】
この発電による電力は、かご上ダクト２７からテールコード１３を通して機械室２の制御盤１２に返送される。そして制御盤１２から建屋の電装品に送られ、その電装品の電源として使用される。
【００２５】
このように本実施形態においては、乗りかご５が上下のいずれの方向に移動する際にも、その乗りかご５のかごシーブ１０を利用して発電機２３を駆動し、電力を得ることができる。
【００２６】
図３には、第２の実施形態を示してあり、この実施形態においては、乗りかご５の上梁１８に第１の実施形態の場合と同様に発電機２３が取り付けられているともに、この発電機２３の発電による電力を蓄電する蓄電池３０が取り付けられている。
【００２７】
蓄電池３０は、かご上ダクト２７を通して乗りかご５の電装品としての例えば天井照明装置３１に電気的に接続されている。天井照明装置３１は、乗りかご５におけるかご室１５内の天井部に設けられ、制御盤１２からテールコード１３を通して送られる電力を主電源として点灯する。
【００２８】
エレベータの運転に応じて乗りかご５が上昇および下降する際には、かごシーブ１０が回転し、この回転の動力がベルト２６を介して発電機２３に伝達され、その回転子が回転して電力を発生する。
【００２９】
この発電による電力は、蓄電池３０に送られて蓄電される。そして蓄電された電力は、天井照明装置３１の補助電源として使用される。
【００３０】
ところで、近年、乗りかご５のかご室１５内の意匠は様々な工夫がこらされ、そのなかでもいわゆる光天井のような大電力を要する天井照明装置３１が組み込まれるようになってきている。
【００３１】
この場合、その天井照明装置３１には常時大電力を供給する必要があり、これに伴いその電力供給用のテールコード１３の太さも増して重量が大きくなり、エレベータ設置時における乗りかご５のバランスの調整作業も面倒となる。
【００３２】
ところが、本実施形態のように、乗りかご５が上下に昇降するときの動作を利用して発電機２３により発電してその電力を蓄電池３０に蓄電し、その蓄電した電力を天井照明装置３１の補助電源として使用することにより、テールコード１３を通して天井照明装置３１に供給する電力量を少なくすることができ、これによりテールコード１３の太さを小さくして重量を軽減できる。そしてテールコード１３の重量が軽減することにより、エレベータ設置時における乗りかご５のバランス調整作業も容易となる。
【００３３】
図４には第３の実施形態を示してある。この実施形態は、乗りかご５が１：１ローピング方式で吊り下げられている場合の例である。すなわち、機械室２に設置された巻上機３のシーブ３ａにメインロープ４が巻き掛けられ、このメインロープ４の一端部に乗りかご５が、他端部に釣合い重り６がそれぞれ連結され、前記メインロープ４を介してかご５および釣合い重り６が昇降路１内に吊り下げられている。
【００３４】
この吊り構造の場合には、乗りかご５および釣合い重り６の昇降に応じて、その乗りかご５側のメインロープ４の重量と釣合い重り６側のメインロープ４の重量とが変動するから、その重量の変動を相殺するためのコンペンロープ３５が掛け渡されている。
【００３５】
そして昇降路１の最下部のピット１ａにはコンペンシーブ３６が回転自在に設けられ、このコンペンシーブ３６に前記コンペンロープ３５が巻き掛けられ、乗りかご５の昇降に応じてコンペンシーブ３６が回転するようになっている。
【００３６】
このような１：１ローピング方式の吊り構造の場合には、乗りかご５にかごシーブがなく、したがって前記第１および第２の実施形態のようにかごシーブの回転で発電機を駆動するようなことはできない。
【００３７】
そこで、この第３の実施形態においては、コンペンシーブ３６の回転動力を利用して発電機２３を駆動する構成となっている。すなわち、コンペンシーブ３６の回転軸３６ａにプーリ３７が取り付けられ、このプーリ３７と発電機２３のプーリ２５との間に動力伝達用のベルト２６が掛け渡されている。
【００３８】
このような構成においては、エレベータの運転に応じて乗りかご５が上昇および下降する際に、コンペンロープ３５を介してコンペンシーブ３６が回転し、この回転の動力がベルト２６を介して発電機２３に伝達され、その回転子が回転して電力を発生する。
【００３９】
この発電による電力は、例えば機械室２の制御盤１２に送電し、さらに制御盤１２から建屋の電装品に送電してその電装品の電源として使用する。
【００４０】
このように、１：１ローピング方式の吊り構造のエレベータであっても、乗りかご５が上下に移動する際にコンペンシーブ３６を利用して発電機２３を駆動し、電力を得ることができる。
【００４１】
なお、前記各実施形態においては、かごシーブやコンペンシーブの回転動力をプーリとベルトを用いる動力伝達機構で発電機に伝達するようにしたが、その他の動力伝達機構、例えばスプロケットとチエーンを用いる動力伝達機構でかごシーブやコンペンシーブの回転動力を発電機に伝達するような場合であってもよい。
【図面の簡単な説明】
【００４２】
【図１】この発明の第１の実施形態に係るエレベータの構成を示す構成図。
【図２】そのエレベータの乗りかごの正面図。
【図３】この発明の第２の実施形態に係るエレベータの乗りかごを示す正面図。
【図４】この発明の第３の実施形態に係るエレベータの構成を示す構成図。
【符号の説明】
【００４３】
１…昇降路、２…機械室、３…巻上機、４…メインロープ、５…乗りかご、６…釣合い重り、１０…かごシーブ、１２…制御盤、１３…テールコード、１４…かご枠、１５…かご室、２１…回転軸、２３…発電機、２４，２５…プーリ、２６…ベルト、２７…かご上ダクト、３０…蓄電池、３１…天井照明装置、３５…コンペンロープ、３６…コンペンシーブ
【図１】
2005200138.tif 000003
【図２】
2005200138.tif 000004
【図３】
2005200138.tif 000005
【図４】
2005200138.tif 000006